(57)【要約】【課題】この発明は、故障診断機能による診断結果を容易に取得させることができるようにしたＡＶ装置及びその故障診断方法を提供することを目的としている。【解決手段】メモリカード（１９）が装着される装着部（６５）と、装着部（６５）に装着されたメモリカード（１９）に対して、映像及び音声の少なくとも一方に対応する信号を記録再生する記録再生手段（６４）と、各部の動作状態を監視し、異常が検出された部位に応じて故障箇所を診断し、その診断内容を示す情報を出力する故障診断手段（６３ｅ）と、装着部（６５）にメモリカード（１９）が装着され、かつ、メモリカード（１９）内に所定量の空き容量が存在する状態で、メモリカード（１９）に故障診断手段（６３ｅ）で得られた診断内容を示す情報を書き込む制御手段（６３）とを備える。【選択図】    図２
2007274355.tif 000002
【特許請求の範囲】
【請求項１】
メモリカードが装着される装着部と、
前記装着部に装着されたメモリカードに対して、映像及び音声の少なくとも一方に対応する信号を記録再生する記録再生手段と、
各部の動作状態を監視し、異常が検出された部位に応じて故障箇所を診断し、その診断内容を示す情報を出力する故障診断手段と、
前記装着部に前記メモリカードが装着され、かつ、前記メモリカード内に所定量の空き容量が存在する状態で、前記メモリカードに前記故障診断手段で得られた診断内容を示す情報を書き込む制御手段とを具備することを特徴とするＡＶ装置。
【請求項２】
前記故障診断手段は、電源の電流または電圧が正常であるか否か、映像表示画面の明るさが正常であるか否か、画面に映像表示がなされているか否か、映像表示画面に色が出ているか否か、音声が出ているか否か、バスラインによる通信が正常か否かのいずれかを監視することを特徴とする請求項１記載のＡＶ装置。
【請求項３】
前記制御手段は、前記故障診断手段で得られた診断内容を示す情報とともに、故障診断時における各部の動作状態を示す情報を前記メモリカードに書き込むことを特徴とする請求項１記載のＡＶ装置。
【請求項４】
前記制御手段は、前記故障診断手段で得られた診断内容を示す情報とともに、故障が発生した回数、前記ＡＶ装置に対する通算の通電時間のいずれかを示す情報を、前記メモリカードに書き込むことを特徴とする請求項１記載のＡＶ装置。
【請求項５】
前記制御手段は、前記故障診断手段で得られた診断内容を示す情報を、前記ＡＶ装置に内蔵されたメモリに書き込むことを特徴とする請求項１記載のＡＶ装置。
【請求項６】
前記故障診断手段で得られた診断内容を示す情報を、ネットワーク上に送信する通信手段を具備することを特徴とする請求項１記載のＡＶ装置。
【請求項７】
メモリカードが装着される装着部と、前記装着部に装着されたメモリカードに対して、映像及び音声の少なくとも一方に対応する信号を記録再生する記録再生手段とを備えたＡＶ装置に対して、
各部の動作状態を監視し、異常が検出された部位に応じて故障箇所を診断し、その診断内容を示す情報を出力する第１の工程と、
前記装着部に前記メモリカードが装着され、かつ、前記メモリカード内に所定量の空き容量が存在する状態で、前記メモリカードに前記第１の工程で得られた診断内容を示す情報を書き込む第２の工程とを具備することを特徴とするＡＶ装置の故障診断方法。
【請求項８】
前記第１の工程で得られた診断内容を示す情報を、ネットワーク上に送信する第３の工程を具備することを特徴とする請求項７記載のＡＶ装置の故障診断方法。
【発明の詳細な説明】
【技術分野】
【０００１】
この発明は、例えば据置型のテレビジョン放送受信装置等のようなＡＶ（audio video）装置及びその故障診断方法に関する。
【背景技術】
【０００２】
周知のように、首記の如きＡＶ装置にあっては、故障が発生した場合、通常、ユーザが電話によりメーカのサービスステーションに故障状況を伝えて修理を依頼し、これによって、サービスマンがユーザ宅に出張して修理が行なわれる。
【０００３】
しかしながら、ユーザから伝えられる故障に関する情報は、修理を行なう上で技術的に不適格な点が多く、サービスマンは、現地に到着してから改めて故障状況を見て故障箇所を診断し修理を行なうことになるため、修理の準備や作業が煩雑になっている。
【０００４】
一方、近年のＡＶ装置においては、その各部位の動作状態を常時監視することにより、故障箇所を自動的に診断する故障診断機能が搭載されている。この故障診断機能では、動作状態に異常が検出された部位に応じて故障箇所を診断し、そのときの診断内容や各部位の動作状態等を示す情報を内部メモリに記憶させている。
【０００５】
これにより、サービスマンは、現地に到着して、修理対象となるＡＶ装置の内部メモリにアクセスし、そこに記憶された情報を読み取ることにより、故障箇所を容易に把握して迅速に修理を行なうことが可能となる。
【０００６】
ところで、上記のように、ＡＶ装置に故障診断機能を搭載させてサービスマンの修理に供させるシステムは、まだまだ開発途上にある段階であり、細部に亘って改良を施すことが強く要求されている。例えば、サービスマンが内部メモリにアクセスする際には、ＡＶ装置のキャビネットを取り外す必要があり、作業が煩雑になっている。
【０００７】
特許文献１には、テレビジョン受像機を構成する各回路の動作状態を示す情報を外部装置に転送可能とし、外部装置として診断装置を選択することにより故障診断を行なうことができるようにして、サービスマンに掛かる労力を軽減させるようにした技術が開示されている。
【特許文献１】特開平７−５９０１８号公報
【発明の開示】
【発明が解決しようとする課題】
【０００８】
そこで、この発明は上記事情を考慮してなされたもので、故障診断機能による診断結果を容易に取得させることができるようにしたＡＶ装置及びその故障診断方法を提供することを目的とする。
【課題を解決するための手段】
【０００９】
この発明に係るＡＶ装置は、メモリカードが装着される装着部と、装着部に装着されたメモリカードに対して、映像及び音声の少なくとも一方に対応する信号を記録再生する記録再生手段と、各部の動作状態を監視し、異常が検出された部位に応じて故障箇所を診断し、その診断内容を示す情報を出力する故障診断手段と、装着部にメモリカードが装着され、かつ、メモリカード内に所定量の空き容量が存在する状態で、メモリカードに故障診断手段で得られた診断内容を示す情報を書き込む制御手段とを備えるようにしたものである。
【００１０】
また、この発明に係るＡＶ装置の故障診断方法は、メモリカードが装着される装着部と、装着部に装着されたメモリカードに対して、映像及び音声の少なくとも一方に対応する信号を記録再生する記録再生手段とを備えたＡＶ装置に対して、各部の動作状態を監視し、異常が検出された部位に応じて故障箇所を診断し、その診断内容を示す情報を出力する第１の工程と、装着部にメモリカードが装着され、かつ、メモリカード内に所定量の空き容量が存在する状態で、メモリカードに第１の工程で得られた診断内容を示す情報を書き込む第２の工程とを備えるようにしたものである。
【発明の効果】
【００１１】
上記した発明によれば、映像及び音声の少なくとも一方に対応する信号が記録再生されるメモリカードが装着部に装着され、かつ、メモリカード内に所定量の空き容量が存在する状態で、メモリカードに故障診断内容を示す情報を書き込むようにしたので、故障診断機能による診断結果を容易に取得させることができるようになる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（secure digital）メモリカード及びＭＭＣ（multimedia card）等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された半導体メモリを内蔵する第２のメモリカード［ＩＣ（integrated circuit）カード］２０が着脱可能となっており、この第２のメモリカード２０に対して情報の記録再生が行なわれるようになっている。
【００１６】
また、このデジタルテレビジョン放送受信装置１１は、第１のＬＡＮ（local area network）端子２１、第２のＬＡＮ端子２２、ＵＳＢ（universal serial bus）端子２３及びｉ．Link端子２４を備えている。
【００１７】
このうち、第１のＬＡＮ端子２１は、ＬＡＮ対応ＨＤＤ（hard disk drive）専用ポートとして使用されるもので、接続されたＮＡＳ（network attached storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、ＨＤＤ内臓のＤＶＤレコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２３】
さらに、上記ｉ．Link端子２４は、例えばＡＶ−ＨＤＤ４１及びＤ（digital）−ＶＨＳ（video home system）４２、さらには、地上波デジタルチューナ（図示せず）等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（phase shift keying）復調器４６に供給されて、デジタルの映像信号及び音声信号に復調された後、ＴＳ（transport stream）復号器４７を介して信号処理部４８に出力される。
【００２６】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２７】
そして、このチューナ５１で選局された放送信号は、ＯＦＤＭ（orthogonal frequency division multiplexing）復調器５２に供給されて、デジタルの映像信号及び音声信号に復調された後、ＴＳ復号器５３を介して上記信号処理部４８に出力される。
【００２８】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されて、アナログの映像信号及び音声信号に復調された後、上記信号処理部４８に出力される。
【００２９】
さらに、上記信号処理部４８には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３０】
ここで、上記信号処理部４８は、ＴＳ復号器４７，５３からそれぞれ供給されたデジタルの映像信号及び音声信号に対して、選択的に所定のデジタル信号処理を施している。
【００３１】
また、この信号処理部４８は、上記アナログ復調器５５及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施している。
【００３２】
この信号処理部４８が行なうデジタル信号処理としては、例えば、映像信号に対するＭＰＥＧデコード処理、このＭＰＥＧデコード処理に伴なって発生するモスキートノイズを削減するＭＰＥＧノイズリダクション処理、映像信号にＯＳＤ用のデジタルグラフィックスデータ（以下、ＯＳＤ信号という）を重畳する処理、映像信号に対するスケーリング処理、音声信号に対するデコード処理等がある。
【００３３】
そして、信号処理部４８から出力されたデジタルの映像信号は、グラフィック処理部５７によりＯＳＤ信号生成部５８で生成されＯＳＤ信号が重畳された後、映像処理部５９に供給される。この映像処理部５９は、入力されたデジタルの映像信号を、前記映像表示器１４で表示可能なフォーマットのアナログ映像信号に変換した後、映像表示器１４に出力して映像表示させるとともに、出力端子６０を介して外部に導出させる。
【００３４】
また、信号処理部４８から出力されたデジタルの音声信号は、音声処理部６１に供給される。この音声処理部６１は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３５】
そして、このデジタルテレビジョン放送受信装置１１は、上記した各種の受信動作を含むその全ての動作を制御部６３によって統括的に制御されている。この制御部６３は、ＣＰＵ６３ａを内蔵しており、前記操作部１６からの操作情報を受け、または、リモートコントローラ１７から送出された操作情報を、前記受光部１８を介して受信し、その操作内容が反映されるように各部をそれぞれ制御している。
【００３６】
この場合、制御部６３は、主として、そのＣＰＵ６３ａが実行する制御プログラムを格納したＲＯＭ（read only memory）６３ｂと、ＣＰＵ６３ａに作業エリアを提供するＲＡＭ（random access memory）６３ｃと、各種の設定情報及び制御情報等が格納される不揮発性メモリ６３ｄとを利用している。
【００３７】
また、この制御部６３は、カードＩ／Ｆ（interface）６４を介して、前記第１のメモリカード１９が装着可能なカードホルダ６５に接続されている。これによって、制御部６３は、カードホルダ６５に装着された第１のメモリカード１９と、カードＩ／Ｆ６４を介して情報伝送を行なうことができる。
【００３８】
さらに、上記制御部６３は、カードＩ／Ｆ６６を介して前記第２のメモリカード２０が装着可能なカードホルダ６７に接続されている。これによって、制御部６３は、カードホルダ６７に装着された第２のメモリカード２０と、カードＩ／Ｆ６６を介して情報伝送を行なうことができる。
【００３９】
また、上記制御部６３は、通信Ｉ／Ｆ６８を介して第１のＬＡＮ端子２１に接続されている。これにより、制御部６３は、第１のＬＡＮ端子２１に接続されたＬＡＮ対応のＨＤＤ２５と、通信Ｉ／Ｆ６８を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４０】
さらに、上記制御部６３は、通信Ｉ／Ｆ６９を介して第２のＬＡＮ端子２２に接続されている。これにより、制御部６３は、第２のＬＡＮ端子２２に接続された各機器（図１参照）と、通信Ｉ／Ｆ６９を介して情報伝送を行なうことができる。
【００４１】
また、上記制御部６３は、ＵＳＢ Ｉ／Ｆ７０を介して前記ＵＳＢ端子２３に接続されている。これにより、制御部６３は、ＵＳＢ端子２３に接続された各機器（図１参照）と、ＵＳＢ Ｉ／Ｆ７０を介して情報伝送を行なうことができる。
【００４２】
さらに、上記制御部６３は、ｉ．Link Ｉ／Ｆ７１を介してｉ．Link端子２４に接続されている。これにより、制御部６３は、ｉ．Link端子２４に接続された各機器（図１参照）と、ｉ．Link Ｉ／Ｆ７１を介して情報伝送を行なうことができる。
【００４３】
また、このデジタルテレビジョン放送受信装置１１は、各部に電力供給するための電源回路７２を備えている。この電源回路７２は、操作部１６の図示しない電源キーがオフ状態のとき、制御部６３にのみ電力を供給している。そして、制御部６３は、電源キーがオン状態に設定されたとき、各部に電力供給を行なうように電源回路７２を制御する。
【００４４】
ここにおいて、上記制御部６３は、故障診断部６３ｅを備えている。この故障診断部６３ｅは、各部の動作状態を常時監視することにより故障箇所を自動的に診断するもので、動作状態に異常が検出された部位に応じて故障箇所を診断し、そのときの診断内容（そのときの各部の動作状態を含ませることも可）を示す情報を不揮発性メモリ６３ｄに書き込むとともに、第１のメモリカード１９がカードホルダ６５に装着されている場合には、その空き領域を検索して書き込むように動作する。
【００４５】
この故障診断部６３ｅの監視内容としては、例えば、電源回路７２に異常な電流または電圧が発生すること、映像表示器１４の画面が異常に明るくなること、映像表示器１４の画面に映像が表示されなくなること、映像表示器１４の画面に色が出なくなること、スピーカ１５から音が出なくなること、図示しないバスラインによる通信が正常に行なえなくなったこと、バスラインが切断されたこと等々である。
【００４６】
具体的に言えば、例えば、電源キーがオン状態に設定されたとき、電源回路７２に異常な電流または電圧が発生した場合、保護回路が働いて電源回路７２が停止状態に制御される。このとき、電源回路７２が停止されるまでの間に、故障診断部６３ｅは、電源回路７２に異常が検出されたことに基づいて故障箇所を診断し、そのときの診断内容を示す情報を不揮発性メモリ６３ｄに書き込むとともに、第１のメモリカード１９がカードホルダ６５に装着されている場合には、その空き領域を検索して書き込むように動作している。
【００４７】
図３は、上記故障診断部６３ｅの処理動作をまとめたフローチャートを示している。すなわち、処理が開始（ステップＳ３ａ）され、ステップＳ３ｂで、電源キーがオン状態に設定されると、故障診断部６３ｅは、ステップＳ３ｃで、動作状態に異常が検出された部位が存在するか否かを判別する。
【００４８】
そして、いずれかの部位の動作状態に異常が検出されたと判断された場合（ＹＥＳ）、故障診断部６３ｅは、ステップＳ３ｄで、動作状態に異常が検出された部位に応じて故障箇所を診断する。
【００４９】
その後、故障診断部６３ｅは、ステップＳ３ｅで、カードホルダ６５に第１のメモリカード１９が装着されているか否かを判別し、装着されていると判断された場合（ＹＥＳ）、ステップＳ３ｆで、その第１のメモリカード１９に所定量の空き容量が存在するか否かを判別する。
【００５０】
そして、第１のメモリカード１９に所定量の空き容量が存在すると判断された場合（ＹＥＳ）、故障診断部６３ｅは、ステップＳ３ｇで、ステップＳ３ｄで得た診断内容を示す情報を不揮発性メモリ６３ｄと第１のメモリカード１９とにそれぞれ書き込み、処理を終了（ステップＳ３ｉ）する。
【００５１】
また、上記ステップＳ３ｅでカードホルダ６５に第１のメモリカード１９が装着されていないと判断された場合（ＮＯ）、または、上記ステップＳ３ｆで第１のメモリカード１９に所定量の空き容量が存在しないと判断された場合（ＮＯ）、故障診断部６３ｅは、ステップＳ３ｈで、ステップＳ３ｄで得た診断内容を示す情報を不揮発性メモリ６３ｄに書き込み、処理を終了（ステップＳ３ｉ）する。
【００５２】
上記した実施の形態によれば、カードホルダ６５を介して着脱自在な第１のメモリカード１９に、故障時の診断内容を示す情報を書き込むようにしたので、カードホルダ６５から第１のメモリカード１９を取り出して、ＰＣ等で容易に読み取ることができるようになる。
【００５３】
このため、サービスマンがキャビネットを取り外して、内部メモリ（不揮発性メモリ６３ｄ）から故障時の診断内容を示す情報を読み取る場合に比して、故障箇所を容易に把握して迅速に修理を行なうことが可能となる。特に、故障の修理がキャビネットを取り外さなくて済む場合には、作業性が飛躍的に向上する。
【００５４】
また、番組や写真等の情報、つまり、ユーザデータを記録する第１のメモリカードに故障時の診断内容を示す情報を書き込むようにしたので、ユーザが通常に使用している状態において突発的に発生する故障に対し、その診断内容を示す情報の書き込みに十分に対処することができる。
【００５５】
なお、第１のメモリカード１９に書き込む故障時の診断内容を示す情報には、例えば、同じ部位の故障が過去に発生した回数や、デジタルテレビジョン放送受信装置１１に対する通算の通電時間等をも含めるようにしても良いことはもちろんである。
【００５６】
図４は、第１のメモリカード１９に書き込まれた故障の診断内容を示す情報の利用方法の一例をまとめたフローチャートを示している。すなわち、処理が開始（ステップＳ４ａ）されると、ユーザは、ステップＳ４ｂで、第１のメモリカード１９に記録された故障の診断内容を示す情報を、電子メールによりメーカのサービスステーションに送り修理を依頼する。
【００５７】
すると、サービスステーションでは、ステップＳ４ｃで、受信した故障の診断内容を示す情報に基づいて修理のための準備を行なった後、ステップＳ４ｄで、サービスマンによる修理を実行させて処理を終了（ステップＳ４ｆ）するとともに、ステップＳ４ｅで、故障の診断内容を示す情報をデータベースに登録して処理を終了（ステップＳ４ｆ）する。
【００５８】
図４に示した例によれば、第１のメモリカード１９に記録された故障の診断内容を示す情報を、電子メールによりメーカのサービスステーションに送るようにしたので、修理のための十分な準備を行なった上でサービスマンによる修理を行なうことができ、より一層修理の作業性を向上させることができる。
【００５９】
また、サービスステーションでは、受信した故障の診断内容を示す情報をデータベースに登録するようにしたので、故障内容を解析し、メーカの設計部門や製造部門にフィードバックして、製品の品質向上を図ることができるようになる。
【００６０】
さらに、故障が発生して故障診断部６３ｅによって故障箇所が診断された場合、その診断内容を示す情報を、自動的に前記通信Ｉ／Ｆ６８からネットワーク３２を介してサービスステーションに送信し、修理を依頼するように設定する運用も可能である。
【００６１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６２】
【図１】この発明の実施の形態を示すもので、デジタルテレビジョン放送受信装置とそれを中心として構成されるネットワークシステムの一例を説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置の故障診断部の処理動作を説明するために示すフローチャート。
【図４】同実施の形態におけるメモリカードに書き込まれた故障の診断内容を示す情報の利用方法の一例を説明するために示すフローチャート。
【符号の説明】
【００６３】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６ａ〜５６ｄ…入力端子、５７…グラフィック処理部、５８…ＯＳＤ信号生成部、５９…映像処理部、６０…出力端子、６１…音声処理部、６２…出力端子、６３…制御部、６４…カードＩ／Ｆ、６５…カードホルダ、６６…カードＩ／Ｆ、６７…カードホルダ、６８，６９…通信Ｉ／Ｆ、７０…ＵＳＢ Ｉ／Ｆ、７１…ｉ．Link Ｉ／Ｆ、７２…電源回路。
【図１】
2007274355.tif 000003
【図２】
2007274355.tif 000004
【図３】
2007274355.tif 000005
【図４】
2007274355.tif 000006